(57)【要約】【課題】シートクッション底部に配置されるデバイスが乗員に与えることのある不快感を抑え、かつ、部品点数を少なくすることができる構成とする。【解決手段】座席用のカバー１０は、座席に取り付けられる対象物２００を出し入れ可能な開口１４を有する、対象物２００の収容部１２と、一端２１が該収容部１２における、他端２２側に引っ張られた際に開口１４を窄める位置に取り付けられた紐状部材２０と、該紐状部材２０を収容部１２の外部へと案内する、収容部１２に設けられた案内部と、紐状部材の他端側に設けられた、座席の一部に係止する係止部材と、を備える。【選択図】図４
2020006929.tif 000002
【特許請求の範囲】
【請求項１】
座席用のカバーであって、
前記座席に取り付けられる対象物を出し入れ可能な開口を有する、前記対象物の収容部と、
一端が該収容部の、他端側に引っ張られた際に前記開口を窄める位置に取り付けられた紐状部材と、
該紐状部材を前記収容部の外部へと案内する、前記収容部に設けられた案内部と、
前記紐状部材の他端側に設けられた、前記座席の一部に係止する係止部材と、
を備える座席用のカバー。
【請求項２】
前記収容部は、前記カバーの一部が折り返されて形成されている、請求項１に記載の座席用のカバー。
【請求項３】
折り返された前記カバーの縁部が当該カバーの途中に固着されている、請求項２に記載の座席用のカバー。
【請求項４】
前記案内部は、前記カバーに設けられた、前記紐状部材を挿通するスリットによって形成されている、請求項１から３のいずれか一項に記載の座席用のカバー。
【請求項５】
前記紐状部材および前記係止部材が、前記カバーの両側に設けられている、請求項１から４のいずれか一項に記載の座席用のカバー。
【請求項６】
前記カバーの両側のうち、前記収容部の片側にて前記カバーが（縫い付けられ、または固定部材により）塞がれている、請求項１から５のいずれか一項に記載の座席用のカバー。
【請求項７】
請求項１から６のいずれか一項に記載のカバーを備える座席。
【発明の詳細な説明】
【技術分野】
【０００１】
本発明は、座席用のカバーおよび該カバーを備える座席に関する。
【背景技術】
【０００２】
従来、リクライニングデバイスやフレームを隠すため、あるいはシートクッションとシートバックとの隙間を隠すための手段として、隙間隠しカバー付きの自動車用シートが利用されている（例えば特許文献１参照）。カバーには例えば伸縮自在な帯紐、該帯紐の先端に備え付けられたフックなどが設けられ、該フックをシートクッション底部の例えばバネやフレームに掛けることによって当該カバーを所定の位置に配置することができるように構成されている。シートクッション底部には電子制御装置、ポンプや空調等のデバイスが装着されていることがあり、上記カバーは、これらのデバイスをも併せて覆い隠すように配置される。
【先行技術文献】
【特許文献】
【０００３】
【特許文献１】特開２００７−０２２５０２号公報
【発明の概要】
【発明が解決しようとする課題】
【０００４】
しかし、上記のごとき構成においては、ポンプや空調等のデバイス作動時に発生する振動により乗員に不快感を与えることがある。また、カバーを所定位置に配置するための部品の他、デバイスを固定するための部品が必要であり、そのぶん、部品点数が嵩むことがある。
【０００５】
そこで、本発明は、シートクッション底部に配置されるデバイスが乗員に与えることのある不快感を抑え、かつ、部品点数を少なくすることができる構成の座席用のカバーおよび該カバーを備える座席を提供することを目的とする。
【課題を解決するための手段】
【０００６】
本発明の一態様は、座席用のカバーであって、
座席に取り付けられる対象物を出し入れ可能な開口を有する、対象物の収容部と、
一端が該収容部の、他端側に引っ張られた際に開口を窄める位置に取り付けられた紐状部材と、
該紐状部材を収容部の外部へと案内する、収容部に設けられた案内部と、
紐状部材の他端側に設けられた、座席の一部に係止する係止部材と、
を備える。
【０００７】
上記態様によれば、カバーの収容部に対象物を収容し、係止部材を座席の一部に係止させることで、カバーともども対象物を座席に取り付けることができる。この構造において、対象物（電子制御装置、ポンプや空調といったデバイス等を含む）は、振動の伝わりやすいバネやフレーム等に直接固定されるのではなく、カバーの収容部に収容された状態で座席に取り付けられることから、デバイスが動作した際に生じうる振動が乗員まで伝わりづらい。
【０００８】
また、上記様態によれば、対象物をバネやフレーム等に固定するための部品が不要であるため、そのぶん部品点数が少なくて済む。
【０００９】
上記態様のカバーにおいて、収容部は、カバーの一部が折り返されて形成されていてもよい。
【００１０】
上記態様のカバーにおいて、折り返されたカバーの縁部が当該カバーの途中に固着されていてもよい。
【００１１】
上記態様のカバーにおける案内部は、カバーに設けられた、紐状部材を挿通するスリットによって形成されていてもよい。
【００１２】
上記態様のカバーにおいて、紐状部材および係止部材が、カバーの両側に設けられていてもよい。
【００１３】
上記態様のカバーの両側のうち、収容部の片側にてカバーが塞がれていてもよい。
【発明の効果】
【００１４】
本発明によれば、シートクッション底部に配置されるデバイスが乗員に与えることのある不快感を抑え、かつ、部品点数を少なくすることができる構成の座席用のカバーおよび該カバーを備える座席を提供することができる。
【図面の簡単な説明】
【００１５】
【図１】本発明の一形態における車両用シートの全体斜視図である。
【図２】車両用シートの底面側における隠しカバー、バネ等の構成例を示す、図１中の符号IIの方向に沿って見た図である。
【図３】図１中のIII-III線における車両用シート等の断面構造を示す図である。
【図４】隠しカバーの構成例を示す斜視図である。
【図５】隠しカバーの構成例を示す側方からみた図である。
【図６】帯紐（紐状部材）を引いた状態の隠しカバーを示す斜視図である。
【図７】帯紐（紐状部材）を引いた状態の隠しカバーを側方からみた図である。
【図８】従来構造の隠しカバーを備えた車両用シートの断面構造を示す参考図である。
【図９】従来構造の隠しカバーを備えた車両用シートの当該隠しカバー、バネ等の構成例を示す、底面から見た参考図である。
【発明を実施するための形態】
【００１６】
以下、図面を参照しつつ本発明に係る座席用のカバーの実施形態を詳細に説明する。好適な一例として、以下では、車両用シート１００の隠しカバー１０に適用した例を挙げつつ説明する（図１〜図７等参照）。
【００１７】
隠しカバー１０は、車両用シート１００のシートバック１２０の背面下部からシートクッション１１０の底部の途中までを覆うように設けられるもので、リクライニングデバイス（リクライニング機構を構成する装置。図示省略）やシートフレーム１３０、あるいはシートクッション１１０とシートバック１２０との隙間を隠すシートとして利用される（図１、図３参照）。
【００１８】
本実施形態の隠しカバー１０は、車両後方側となる縁部１０Ａがシートバック１２０の背面下部に固着されていて、車両前方側となる縁部１０Ｂを、帯紐やフック等を利用してシートクッション１１０の底部に取り付けることによってシートバック１２０の背面下部からシートクッション１１０の底部の途中までを覆う構成とされている。また、本実施形態の隠しカバー１０は、収容部１２、開口１４、スリット１６、帯紐２０などを備える、デバイス２００を収納可能なカバーとして構成されている（図４、図５等参照）。
【００１９】
なお、デバイス２００とは、電子制御装置、ポンプや空調等の装置、あるいはこれらの一部を構成する装置であって、シートクッション１１０の底部に配置されうるものをいう。このようなデバイス２００は、例えばシートフレーム１３０やバネ部材１４０に直接取り付けられる場合があるところ、本実施形態では、このようなデバイス２００を、隠しカバー１０の収容部１２に収容する対象物として、直接取り付けられた場合とは異なる新規な保持構造を実現する。
【００２０】
収容部１２は、デバイス２００を収容可能なスペースを備えるように隠しカバー１０に形成されている。収容部１２の具体的な構成は特に限定されるものではないが、一例として本実施形態では、隠しカバー１０の車両前方側の縁部１０Ｂを折り返し、当該縁部１０Ｂを隠しカバー１０の途中に固着して、折り返しの内側に収容部１２を形成している（図４、図５等参照）。
【００２１】
縁部１０Ｂの固着方法はとくに限定されない。本実施形態では縁部１０Ｂを隠しカバー１０の途中に縫い付け部１１において縫い付けることによって固着しているが（図４、図５等参照）、ステイプラーで留める、ホックやファスナーで着脱可能に留めるなど、図示しない他の手段で固着してもよい。
【００２２】
なお、本実施形態では隠しカバー１０の縁部１０Ｂを、当該隠しカバー１０のシートクッション１１０側を向く面（カバー裏面ともいう）の側に折り返してカバー裏面に固着しているが（図５等参照）、これとは逆の面（カバー表面）に縁部１０Ｂを固着してもよい。
【００２３】
収容部１２は、車両用シート１００の幅方向の一方または両方に開口１４を有する。開口１４は、収容対象であるデバイス２００を出し入れ可能な大きさに形成されている（図４参照）。
【００２４】
帯紐２０は、隠しカバー１０を車両用シート１００に取り付けるための紐状部材の一例として用いられているもので、その基端部（一端部）２１はカバー１０に取り付けられ、先端部（他端部）２２には係止部材３０が設けられている（図４、図５参照）。ここでは帯紐と称する部材を紐状部材の好適な一例として示しているが、名称にとらわれることなく、例えばベルト状の部材など各種部材を採用しうる。
【００２５】
係止部材３０は例えばフック状であって、シートフレーム１３０やバネ部材１４０など、車両用シート１００の底部に配置されている部材に係脱可能な部材で構成されている。
【００２６】
上記の帯紐２０は、ゴム紐などのように伸縮性を有しているものであることが好ましい。伸縮性を有する帯紐２０は、車両走行時等におけるデバイス２００の揺れを吸収する。また、伸縮性を有する帯紐２０は、車両用シート１００の底部への係止部材３０の係止可能な範囲を増大させうる。
【００２７】
帯紐２０の基端部２１は、収容部１２の内側面（カバー裏面）に、例えば縫い付けられる等して固着されている（図４、図５）。縫い付け以外の手段によって固着されていてもよいのは、隠しカバー１０の縁部１０Ｂと同様である。
【００２８】
スリット１６は、上記の帯紐２０を、収容部１２の内側から挿通させて外部へと案内するように隠しカバー１０に形成されている（図２、図４、図５参照）。スリット１６の周囲が補強されていてもよい。
【００２９】
隠しカバー１０におけるスリット１６の位置、および帯紐２０の基端部２１の固着位置は特に限定されるものではないが、帯紐２０を先端部２２の側へ引っ張った際、開口１４を絞って窄めるように配置されていることが望ましい（図６、図７参照）。
【００３０】
上記のごとき構成の隠しカバー１０によれば、両側の開口１４の一方からデバイス２００を収容部１２の中央あたりまで差し込み（図４、図５）、帯紐２０を先端側に引っ張りつつ（図６、図７参照）、係止部材３０を車両用シート１００の底部のバネ部材１４０等に係止させることで、開口１４を絞り、デバイス２００を収容部１２に収容した状態で車両用シート１００の底部に取り付けることができる。
【００３１】
このような構成とされた隠しカバー１０を備えた車両用シート１００においては、デバイス２００の固定具を別に設けずとも隠しカバー１０を利用して当該デバイス２００の配置ないしは固定を行うことが可能であることから、当然ながら、そのぶん部品点数が少なくなる。
【００３２】
また、本実施形態の隠しカバー１０を用いる際、シートフレーム１３０やバネ部材１４０等に隠しカバー１０を固定する手段ないし手順は従来と変わらない簡単なもの（カバーと繋がっている帯紐に備え付けられたフック等で係止するというもの。図８、図９参照。なお、図８と図９では、従来構造の隠しカバーを符号１０’で示している）である。また、車両用シート１００のリクライニング等の動作に当該カバーが十分追従するように、シートフレーム１３０やバネ部材１４０へ係止部材を係止させる際には帯紐を十分に引っ張った上で係止させる方法が一般的であるところ、本実施形態においても同じ手順を同様に行うだけで、開口１４が窄まって収容部１２が袋状となり、デバイス２００を動きづらい状態で収納することができる。
【００３３】
また、本実施形態の隠しカバー１０によれば、振動の伝わりやすいシートフレーム１３０やバネ部材１４０等にデバイス２００を直接固定させることのない構造であるため、デバイス２００の動作の際に発生する振動が乗員まで伝わりづらい。しかも、いわば表皮材でデバイス２００を包み覆う構造であるため、デバイス２００の作動音の低減ももたらされる。
【００３４】
なお、上述の実施形態は本発明の好適な実施の一例ではあるがこれに限定されるものではなく本発明の要旨を逸脱しない範囲において種々変形実施可能である。例えば、本実施形態の隠しカバー（カバー）１０は、各種車両などの乗り物用のシート（自動車用シートのほか、航空機用シート、旅客船用シートなどの各種座席）に適用することができる。
【００３５】
また、上述した実施形態では、帯紐２０や係止部材３０を一対備えた隠しカバー１０について説明したがこれは好適な一例にすぎず、これらの数が特に限定されることはない。
【００３６】
また、上述した実施形態では、収容部１２の両サイドが開口１４である構造の隠しカバー１０を図示して説明したがこれも好適な一例にすぎない。この他、収容部１２の片側が縫い付けられて塞がれ、反対側の開口１４からのみデバイス２００を出し入れできる構造の隠しカバー１０とすることもできる。
【００３７】
また、特に詳しい図示はしていないが、帯紐２０の案内部として、上記実施形態のごときスリット１６の他、例えば、開口１４の縁部に挿通した通り道（ガイド）を帯紐２０の案内部とすることも可能である。
【産業上の利用可能性】
【００３８】
本発明は、座席用のカバーおよび該カバーを備える座席に適用して好適である。
【符号の説明】
【００３９】
１０…隠しカバー（カバー）、１０Ａ…（車両後方側の）縁部、１０Ｂ…（車両前方側の）縁部、１１…縫い付け部、１２…収容部、１４…開口、１６…スリット（案内部）、１８…縁部、２０…帯紐（紐状部材）、２１…基端部（一端部）、２２…先端部（他端部）、３０…係止部材、１００…車両用シート（座席）、１１０…シートクッション、１２０…シートバック、１３０…シートフレーム、１４０…バネ部材、２００…デバイス（対象物）
【図１】
2020006929.tif 000003
【図２】
2020006929.tif 000004
【図３】
2020006929.tif 000005
【図４】
2020006929.tif 000006
【図５】
2020006929.tif 000007
【図６】
2020006929.tif 000008
【図７】
2020006929.tif 000009
【図８】
2020006929.tif 000010
【図９】
2020006929.tif 000011